(57)【要約】【課題】テレビジョン映像が途切れることなく記録媒体の再生を行うとともに、システムクロックの高調波成分が選局復調回路に飛び込むことで生ずるビート妨害のない高品位な映像を表示する。【解決手段】選局復調回路２の出力映像信号における同期信号を検出して帰線期間に相当する有効映像期間以外の期間を設定するタイミング生成回路２２と、タイミング生成回路２２で設定した有効映像期間以外の期間のみ記録媒体（ＩＣカード２３）から再生処理を行う再生回路（映像データ再生回路２６）と、再生回路により断続的に再生した情報を結合させるとともに一時的に記憶するメモリー回路（画像メモリー回路２７）と、メモリー回路の情報を選局復調回路２の出力映像信号に重畳する重畳回路（スケーリング回路１１）を備える。【選択図】　　　図１
2004040731.tif 000002
【特許請求の範囲】
【請求項１】
テレビジョン放送波を受信して選局復調するための選局復調回路と、映像情報を記録した記録媒体と、前記記録媒体から映像情報を再生するための再生回路と、前記選局復調回路および前記再生回路の出力映像信号を表示するためのディスプレイ装置とを備えた映像信号処理装置において、
前記選局復調回路の出力映像信号における同期信号を検出して帰線期間に相当する有効映像期間以外の期間を設定するためのタイミング生成回路を備え、
前記再生回路は、
前記タイミング生成回路で設定した有効映像期間以外の期間のみ前記記録媒体から再生処理を行うように制御されるとともに、前記再生回路により断続的に再生した情報を結合させるとともに一時的に記憶するためのメモリー回路と、
前記メモリー回路の情報を前記選局復調回路の出力映像信号に重畳するための重畳回路とを備えたことを特徴とする映像信号処理装置。
【請求項２】
前記再生回路は、前記記録媒体から映像情報に関する付加情報を再生し、
前記重畳回路は、前記選局復調回路の出力映像信号に前記付加情報を文字として変換して重畳することを特徴とする請求項１記載の映像信号処理装置。
【請求項３】
前記再生回路は、前記タイミング生成回路で設定した有効映像期間以外の期間のみ再生回路動作クロックを生成するクロック生成回路を含み、前記有効映像期間以外では再生動作を停止することを特徴とする請求項１記載の映像信号処理装置。
【請求項４】
前記記録媒体が装着されたことを検出する検出回路を備え、前記再生回路は、前記記録媒体を装着直後に前記記録媒体から再生処理を行うことを特徴とする請求項１記載の映像信号処理装置。
【発明の詳細な説明】
【０００１】
【発明の属する技術分野】
本発明は、液晶ディスプレイ等の表示装置を搭載したテレビジョン受像機等における映像信号処理装置に関し、特に、表示装置ならびに映像信号処理のシステムクロックに付随する高調波によるビート妨害を抑止して、テレビジョン放送の表示時における映像画質を改善することが可能な映像信号処理装置に関するものである。
【０００２】
【従来の技術】
従来、表示装置に液晶ディスプレイを用いたテレビジョン受像機として、液晶テレビジョン受像機があった。また、ＩＣカードスロットを搭載し、ＪＰＥＧ等の規格を用いて記録されたＩＣカードに対する静止画再生の機能が追加されている液晶テレビジョン受像機もある。
【０００３】
従来のＩＣカード再生機能が付加された液晶テレビジョン受像機について、図７を参照して説明する。
従来の液晶テレビジョン受像機３１は、図７に示すように、液晶表示ユニット３２を備えており、テレビジョン放送を映し出すために、選局復調回路３３やクロック発生回路３４を付加し、さらにＩＣカードの再生映像を映し出すために、カードスロット５０や映像データ再生回路５１を付加している。
【０００４】
液晶表示ユニット３２は、例えば、６８０×４８０画素の液晶ディスプレイ３５に対して、デジタルデータとして与えられるＲＧＢ信号をアナログ信号に変換するためのＤＡ変換回路３６と、水平スタートパルス、垂直スタートパルスおよびシフトクロックを受けて液晶ディスプレイ３５を２次元走査するための液晶駆動回路３７を一体化させたものである。
【０００５】
選局復調回路３３は、受信アンテナ３８が捕捉したテレビジョン放送を、タッチキーあるいはリモコンを介してＣＰＵ３９に与えられた選局指令に応じて選局復調するもので、一般のＣＲＴテレビジョン受像機に使用するのと同じものが用いられ、複合映像信号をＲＧＢ信号と水平および垂直の各同期信号ＨＳＹ、ＶＳＹに分けて出力する。
【０００６】
映像データ再生回路５１は、タッチキーあるいはリモコンを介してＣＰＵ３９に与えられたカード再生指令に応じて、カードスロット５０に挿入されたＩＣカードからデータを読み出し、ＪＰＥＧ等のデータ圧縮手段を用いた所定のフォーマットからデータを復号して再生するとともに、水平および垂直の各同期信号ＨＳＹ、ＶＳＹを出力する。
Ｙ、Ｃｂ、Ｃｒコンポーネント信号に復号された映像データ再生回路５１の出力信号は、ＲＧＢ変換回路５２とＤＡ変換回路５３により、アナログＲＧＢ信号に変換される。
【０００７】
液晶ディスプレイ３５の駆動には、一般のＣＲＴテレビジョン受像機には存在しない回路が必要である。例えば、液晶テレビジョン受像機３１に特有の回路として、２６２．５本の走査線からなる１フィールドの画面２枚で１画面を構成する飛び越し走査から、５２５本の走査線で１枚の画面を構成する順次走査に変換するための走査変換回路４０や、ドットマトリクスを構成している各画素に対して駆動タイミングを指定するための各種パルスやクロックを供給するクロック発生回路３４などがある。
【０００８】
走査変換回路４０は、スイッチ回路５５が出力するＲＧＢ信号をデジタルデータに変換するためのＡＤ変換回路４１の出力を、内蔵するラインメモリーに送り込むとともに、書き込み速度の２倍の速度で読み出すことにより走査線密度を倍密度変換し、インタレース信号をノンインタレース信号に変換する。ノンインタレース信号に変換されたＲＧＢ信号は、液晶表示ユニット３２内のＤＡ変換回路３６に送り込まれてアナログ信号に変換されたのち、液晶駆動回路３７により点順次指定された画素に供給される。
【０００９】
クロック発生回路３４は、選局復調回路３３から送り込まれた水平同期信号ＨＳＹ（周波数ｆｈ）を位相ロックドループ（以下、ＰＬＬと記す）４２により２Ｎ逓倍し、周波数２ｆｓ（＝２Ｎｆｈ）のシステムクロックを生成し、このシステムクロックに準じて水平スタートパルスや垂直スタートパルスあるいはシフトクロックを生成する。
【００１０】
ＰＬＬ４２は、広く知られているように、位相比較器４３、低域濾波回路４４、電圧制御発振器４５、および１／２Ｎの分周を行うための分周回路４６をもって一巡ループを構成したものであり、電圧制御発振器４５からは分周回路４６により１／２Ｎ分周される前の周波数２ｆｓのシステムクロックと、その１／２の周波数ｆｓをもったクロックが得られる。
【００１１】
周波数ｆｓのクロックは、ＡＤ変換回路４１の動作クロックおよび走査変換回路４０の書き込みクロックに用いられ、周波数２ｆｓのシステムクロックは、走査変換回路４０の読み出しクロック、ＤＡ変換回路３６の動作クロック、および液晶駆動回路３７のためのシフトクロックに用いられる。
【００１２】
なお、液晶駆動回路３７のためのシフトクロックは、実際には、ＰＬＬ４２内の分周回路４６と、これにループ外接続されたデコーダ４７をスルーしたシステムクロックが用いられる。
【００１３】
また、液晶ディスプレイ３５の水平方向の画素列に関して、水平同期信号ＨＳＹから数えて何個目のシフトクロックから駆動するかを決定するための水平スタートパルスは、ＰＬＬ４２内の分周回路４６が内蔵するカウンタの計数出力をデコーダ４７が解読し、カウンタの計数値が予め定めた一定値に達したことをデコーダ４７が論理判断することで与えられる。
【００１４】
さらにまた、液晶ディスプレイ３５の垂直方向の画素列に関して、垂直同期信号ＶＳＹから数えて何個目のシフトクロックから駆動するかを決定するための垂直スタートパルスは、ＰＬＬ４２内の分周回路４６の出力を垂直同期信号ＶＳＹによりリセットされる分周回路４８内のカウンタにて計数し、このカウンタの計数値が予め定めた一定値に達したことをデコーダ４７にて論理判断することで与えられる。
【００１５】
ところで、映像データ再生回路５１は、カード再生専用のシステムクロック発生回路５４の出力クロックで動作している。カード用システムクロックの周波数は、映像データ再生回路５１のＩＴＵ−Ｒ勧告ＢＴ６０１に準拠したＹ、Ｃｂ、Ｃｒコンポーネント信号への復号を考慮すると、１３．５ＭＨｚのＭ／Ｎ倍の周波数とすることによりシステムが簡便なものとなって有利であるため、ここでは１３５ＭＨｚとする。よって、映像データ再生回路５１の出力信号、ならびにＲＧＢ変換回路５２とＤＡ変換回路５３の動作周波数は、１３．５ＭＨｚとする。
【００１６】
したがって、上記従来のＩＣカード再生機能が付加された液晶テレビジョン受像機において、テレビジョン放送を受信中にＩＣカード再生を同時に行うと、カード再生用システムクロックの整数倍の周波数として発生する高調波成分が選局復調回路に飛び込み、ビート妨害を引き起こしてしまうといった課題を抱えていた。
【００１７】
このような課題に対する対策として、テレビジョン受信とＩＣカード再生は同時に行わず、テレビジョン受信モードとＩＣカード再生モードというように分けることが考えられる。すなわち、テレビジョン受信モードにおいて、ＣＰＵ３９はＩＣカード再生動作を停止し、スイッチ回路５５を切替えて、選局復調回路３３の出力であるＲＧＢ信号と、水平および垂直の各同期信号ＨＳＹ、ＶＳＹを選択する。一方、ＩＣカード再生モードでは、ＣＰＵ３９は選局復調動作を停止し、スイッチ回路５５を切替えて、映像データ再生回路５１と、ＤＡ変換回路５３の出力であるＲＧＢ信号と、水平および垂直の各同期信号ＨＳＹ、ＶＳＹを選択するなどの措置を施して対応していた。
【００１８】
また、他の対策として、選局チャンネルに応じてカード再生用システムクロック周波数を切替えることが考えられる。選局チャンネルに応じてシステムクロック周波数を切替える方法として、例えば実開平５−６５１８４号公報に記載の液晶テレビジョン受像機が提案されている。図８を参照して、実開平５−６５１８４号公報に記載された技術を説明する。
【００１９】
実開平５−６５１８４号公報に記載された液晶テレビジョン受像機６１は、図８に示すように、クロック発生回路内のＰＬＬにおける逓倍比２Ｎを選局チャンネルに連動して切替え、システムクロックの高調波成分がビート妨害を引き起こさないよう構成するとともに、システムクロックを変更しても画像が常に液晶ディスプレイ３５の中央部分に表示されるよう構成したものである。
【００２０】
ビート妨害を抑止するビート妨害抑止手段としては、テレビジョン放送波のチャンネル毎に選定された逓倍比２Ｎを格納した逓倍比メモリー６２と、選局チャンネルの指定を受けて逓倍比メモリー６２から当該チャンネルに対応する逓倍比２Ｎを読み出し、ＰＬＬ４２内の分周回路４６に設定するＣＰＵ６３が用いられる。
【００２１】
ところで、システムクロックを選定する場合に、オーバスキャン歪率を５％以下に抑えるといった条件を課している。すなわち、倍密度変換された水平同期周波数２ｆｈ（＝３１．４６ｋＨｚ）について、液晶ディスプレイ３５の水平方向の６８０画素に対応する映像表示期間は、２６．４μｓとなる。このうち、水平方向の有効表示期間を６４０画素とした場合、映像表示期間に占める有効表示期間の比で表されるオーバスキャン率Ｅは、６４０／２６．４・２ｆｓで表され、オーバスキャン歪率は（１−Ｅ）／２で表される。したがって、オーバスキャン歪率を５％以下に抑えるためには、逓倍比すなわち分周回路４６の分周比２Ｎを８５６×２以下としなければならない。
【００２２】
また、逓倍比（分周比）２Ｎを８５６×２以下とした場合、システムクロックの第４高調波から第３０高調波が放送波帯域に侵入しており、ビート妨害を防ぐためには、高調波が放送波帯域を侵さないような複数のシステムクロックを選択しなければならないことが分かる。そこで、オーバスキャン歪率が５％以下で、どのチャンネルについてもどちらかの高調波成分が放送波帯域から外れる２個のシステムクロックとして、例えば逓倍比８０８×２と８３２×２を選んだ場合、逓倍比８０８×２ではシステムクロックの周波数２ｆｓが２５．４２ＭＨｚとなるため、第２、５、９、１５、１９、２３、２７、３２、３６、４０、４４、４９、５３、５７、６１の各チャンネルに高調波が侵入する。また、逓倍比８３２×２では、システムクロックの周波数２ｆｓが２６．１７ＭＨｚであるため、第３、６、１０、１３、１７、２１、２６、３０、３５、３９、４３、４８、５２、５６、６１の各チャンネルに高調波が侵入する。
【００２３】
したがって、いずれの逓倍比においても高調波の侵入を受ける第６１チャンネルを除いて、システムクロックを少なくとも２通りに切り替えることで、ビート妨害を回避することが可能となる。なお、第６１チャンネルについては、例えば逓倍比８００×２を用いることでビート妨害を排除することが可能となる。
【００２４】
逓倍比メモリー６２に対し、選局チャンネルをアドレスとしてビート妨害を招かない３種類の逓倍比２Ｎが格納してあり、選局マイコン６４が選局指令を受けたときに、液晶テレビジョン受像機６１全体を統括制御するＣＰＵ６３が、逓倍比メモリー６２から選局指定されたチャンネルに対応する逓倍比２Ｎを読み出し、これをＰＬＬ内の分周回路４６に設定する。すなわち、例えば第３チャンネルが選局されたときは、逓倍比８０８×２が選択され、また第２チャンネルが選局されたときは、逓倍比８３２×２が選択され、さらに第６１チャンネルが選局されたときは、逓倍比８００×２が選択される。
このように、クロックを選択することで、選局チャンネルの帯域内に高調波成分が飛び込むことのないシステムクロックを得ることができる。
【００２５】
【発明が解決しようとする課題】
上記従来のＩＣカード再生機能が付加された液晶テレビジョン受像機は、視聴者がその液晶テレビジョン受像機にＩＣカードを挿入し、テレビジョン放送を受信中にＩＣカードの視聴を目的に再生を試みると、カード再生用システムクロックの整数倍の周波数として発生する高調波成分が選局復調回路に飛び込み、ビート妨害を引き起こしてしまうという課題を抱えていた。そのビート妨害を回避するため、テレビジョン受信モードとＩＣカード再生モードというように別々に分けてディスプレイに表示することで対応していたが、当初の目的であるテレビジョン放送を受信中にＩＣカードの視聴を行うということにはまったく対応できていない。
【００２６】
また、ＰＬＬにより生成されるシステムクロックに付随して発生する数次の高調波を予め試算により求め、これらの高調波がテレビジョン放送波の６ＭＨｚの占有帯域を避けるようなシステムクロックを、選局された放送チャンネルに合わせて選択するよう構成し、システムクロックの高調波成分が選局復調回路に飛び込むことで生ずるビート妨害を抑制する方法では、視聴者が選局チャンネルを変更したときに、クロックの周波数もその選局チャンネルに合わせて選択し直す必要がある。
【００２７】
一般的に、クロック周波数が変わると、ＲＧＢ変換回路やＤＡ変換回路はもとより映像データ再生回路の内部動作の処理設定も変更しなければならない。言い換えれば、ＩＣカード再生中に選局チャンネルを変更すると、映像データ再生回路のクロック周波数が変わるため、ＩＣカード再生映像が乱れるどころか、カード再生動作自体が止まってしまう恐れがある。
したがって、選局チャンネルの帯域内に高調波成分が飛び込むことのないクロックを選択する方法では、ビート妨害を受けることなくテレビジョン放送を受信中にＩＣカードの視聴を行うということができないという課題を抱えていた。
【００２８】
本発明は、上述した事情に鑑み提案されたもので、テレビジョン放送を視聴しながらＩＣカードの記録内容の視聴もしくは確認を目的にＩＣカードを再生した場合に、テレビジョン映像が途切れることなく、ＩＣカードの再生を行うことができるとともに、システムクロックの高調波成分が選局復調回路に飛び込むことで生ずるビート妨害のない高品位な映像を表示することが可能な映像信号処理装置を提供することを目的とする。
【００２９】
【課題を解決するための手段】
本発明に係る映像信号処理装置は、上述した目的を達成するため、以下の特徴点を備えている。
【００３０】
すなわち、本発明に係る映像信号処理装置は、テレビジョン放送波を受信して選局復調するための選局復調回路と、映像情報を記録した記録媒体と、前記記録媒体から映像情報を再生するための再生回路と、前記選局復調回路および前記再生回路の出力映像信号を表示するためのディスプレイ装置とを備えた映像信号処理装置において、
前記選局復調回路の出力映像信号における同期信号を検出して帰線期間に相当する有効映像期間以外の期間を設定するためのタイミング生成回路を備え、
前記再生回路は、前記タイミング生成回路で設定した有効映像期間以外の期間のみ前記記録媒体から再生処理を行うように制御されるとともに、前記再生回路により断続的に再生した情報を結合させるとともに一時的に記憶するためのメモリー回路と、前記メモリー回路の情報を前記選局復調回路の出力映像信号に重畳するための重畳回路とを備えたことを特徴とするものである。
【００３１】
ここで、前記再生回路は、前記記録媒体から映像情報に関する付加情報を再生し、前記重畳回路は、前記選局復調回路の出力映像信号に前記付加情報を文字として変換して重畳することを特徴とする。
【００３２】
また、前記再生回路は、前記タイミング生成回路で設定した有効映像期間以外の期間のみ再生回路動作クロックを生成するクロック生成回路を含み、前記有効映像期間以外では再生動作を停止することを特徴とする。
【００３３】
また、前記記録媒体が装着されたことを検出する検出回路を備え、
前記再生回路は、前記記録媒体を装着直後に前記記録媒体から再生処理を行うことを特徴とする。
【００３４】
【発明の実施の形態】
以下、本発明に係る映像処理装置の一実施形態について図１〜図６を参照して説明する。
【００３５】
図１は本発明に係る映像信号処理装置の一実施形態の概略を示す回路構成図、図２は図１における回路各部の信号波形図、図３は図１におけるスケーリングならびに倍速変換回路各部の信号波形図、図４は選局チャンネルと高調波妨害の関係を示す説明図、図５は図１におけるタイミング生成回路の水平期間の信号波形図、図６は図１におけるタイミング生成回路の垂直期間の信号波形図である。
【００３６】
図１において、１は受信アンテナ、２は選局復調回路、３はＬＰＦ／同期分離回路４と位相比較／ＶＣＯ回路５とカウンタ６で構成される位相ロックドループ（以下、ＰＬＬと記す）、７はＡＤ変換回路、８はＹＣ分離回路、９は色復調回路、１０はＲＧＢ変換回路、１１はスケーリング回路、１２は倍速変換回路、１３はＯＳＤ回路、１４と１５は液晶用システムクロック発生回路、１６は同期生成回路、１７はＤＡ変換回路１８と液晶駆動回路１９と液晶ディスプレイ２０で構成されるディスプレイ装置、２１はＣＰＵ、２２はタイミング生成回路、２３はＩＣカード、２４はカードスロット、２５はカード用システムクロック（ＣＣＫ）発生回路、２６は映像データ再生回路、２７は画像メモリー回路、２８はＲＧＢ変換回路である。
【００３７】
本発明に係る映像処理装置の一実施形態を説明するにあたり、まず、テレビジョン放送をディスプレイ装置１７に表示する動作を説明する。
選局復調回路２は、タッチキーあるいはリモコンを通してＣＰＵ２１に与えられた選局指示に応じて、受信アンテナ１が捕捉したテレビジョン放送を選局復調し、複合映像信号を出力する。
【００３８】
ＡＤ変換回路７、ＹＣ分離回路８、色復調回路９およびＲＧＢ変換回路１０は、ＮＴＳＣまたはＰＡＬ方式のアナログビデオ信号である選局復調回路２から出力された複合映像信号を、ＩＴＵ−Ｒ勧告ＢＴ６０１に準拠したＲＧＢのデジタルデータに対して以下のようにデコードする。
【００３９】
すなわち、ＡＤ変換のサンプリングクロックは、ＩＴＵ−Ｒ勧告ＢＴ６０１に準拠させるため１３．５ＭＨｚまたはその逓倍でかつ低い周波数が後段のシステムを簡便なものとできるが、アンチエイリアシングフィルタの簡便化からみると周波数が高い方が望ましく、ここでは２７ＭＨｚとする。
【００４０】
ＰＬＬ３では、ＡＤ変換回路７の動作のための２７ＭＨｚのサンプリングクロックと、ＹＣ分離回路８、色復調回路９およびＲＧＢ変換回路の動作のための１３．５ＭＨｚのデコードクロックを発生させる。ＰＬＬ３は、広く知られているような構成であり、ＬＰＦ／同期分離回路４で複合映像から水平同期信号（周波数ｆｈ）を分離し、その水平同期信号を基準として位相比較／ＶＣＯ回路５とカウンタ６からなる一巡ループを構成し、カウンタ６から２７ＭＨｚのサンプリングクロックとその１／２の１３．５ＭＨｚのデコードクロックが生成される。
【００４１】
ＡＤ変換回路７で２７ＭＨｚにサンプリングされた複合映像信号は、ＹＣ分離回路８内のデシメーションフィルタで１３．５ＭＨｚにダウンサンプルされた後、Ｙ信号とＣ信号に分離される。Ｃ信号は、色復調回路９でＣｂ信号とＣｒ信号に復調され、ＲＧＢ変換回路１０でＹ信号とともにＲＧＢ信号に変換される。
【００４２】
ＲＧＢ信号は、図２（Ａ）に示すタイミングとなっており、その後段に配置されたスケーリング回路１１内のインターポレーションフィルタにより、有効映像期間のデータがアップサンプルされる。さらに、倍速変換回路１２内のラインメモリーにより、書き込み速度の２倍の速度で読み出して走査線を倍速変換し、インタレース信号をノンインタレース信号に変換する。
【００４３】
同期生成回路１６では、カウンタ６から供給される入力複合同期信号に同期する水平および垂直基準信号と、液晶用システムクロック発生回路１４もしくは１５から供給される液晶用システムクロックに準じて、液晶駆動回路１９の動作のための水平スタートパルス、垂直スタートパルスあるいはシフトクロックを生成する。
【００４４】
ノンインタレース信号に変換されたＲＧＢ信号は、ディスプレイ装置１７内のＤＡ変換回路１８によりアナログ信号に変換された後、液晶駆動回路１９により点順次指定された画素に供給される。
【００４５】
ところで、スケーリング回路１１、倍速変換回路１２、およびＤＡ変換回路１８と液晶駆動回路１９を含むディスプレイ装置１７の動作クロックである液晶用システムクロックは、そのクロックの高調波成分が受信選局チャンネルに対してビート妨害をおこさないように選定する必要がある。
【００４６】
以下、ビート妨害の抑止方法について説明する。ビート妨害を抑止するには、クロック高調波成分の周波数が全放送チャンネルの周波数帯域で互いに重複することがない２つの周波数ｆｓ１、ｆｓ２のクロックを発生する２個の液晶用システムクロック発生回路１４、１５を準備し、テレビジョン放送波のチャンネル毎のシステムクロック選択データを内蔵メモリーに格納したＣＰＵ２１が、選局チャンネルの指定を受けて、液晶用システムクロック発生回路１４、１５の出力を切替えるようにする。
【００４７】
そして、液晶用システムクロック発生回路１４、１５の出力クロック周波数ｆｓ１、ｆｓ２は、そのクロック高調波成分の周波数が全放送チャンネルの周波数帯域で互いに重複することがないように選定してあるので、受信選局チャンネルに対してビート妨害をおこさない方のクロックを、ＣＰＵ２１が自動的に選択することにより、ビート妨害を抑止することができる。
【００４８】
液晶用システムクロック周波数の選定は、液晶ディスプレイ２０の表示サイズや、この表示サイズに合わせたスケーリング回路１１の変換比率にもかかわってくる。ここでは、液晶ディスプレイ２０として、高画質ＤＶＤ映像等を考慮して１６：９ワイドＶＧＡパネル（８５４×４８０）を用いた場合について説明する。
【００４９】
図２（Ａ）に示すように、ＲＧＢ信号は有効映像データが７２０サンプルとなっているため、スケーリング回路１１内のインターポレーションフィルタにより、液晶ディスプレイ２０の水平サンプル数８５４にアップサンプルさせる。このときのスケーリング回路１１における水平変換比率は３２／２７であり、図３（Ａ）に示すように、隣接データに重みづけをして変換データを得る。
【００５０】
このままでは、未だインタレース信号であるため、倍速変換回路１２内のラインメモリーにより書き込み速度の２倍の速度で読み出し、さらに図３（Ｂ）に示すように、隣接データに重みづけをする倍速変換回路１２内のインターポレーションフィルタを通すことにより、走査線を倍速変換してノンインタレース信号に変換する。このため、有効走査線数も２４０本から４８０本に変換される。
このような処理を行うことにより、１６：９ワイドＶＧＡパネル（８５４×４８０）に合わせたデータを得る。
【００５１】
液晶用システムクロック周波数の選定については、システムクロック発生回路１４の出力クロック周波数ｆｓ１として、図２（Ｂ）に示すように、２８．８８８ＭＨｚを選定した。倍速変換回路１２の出力信号の水平走査線数は、入力複合映像信号の水平走査線数の２倍であるため、水平走査期間Ｔｈ１は、Ｔｈ１＝Ｔｈ／２＝３１．７７８μｓｅｃであり、各フィールド２６２．５本であった水平走査線は５２５本となる。
【００５２】
ここで、水平走査期間のサンプル数について、有効映像期間のサンプル数は前述したように８５４サンプルである。有効映像期間以外のサンプル数の設定は、液晶駆動回路１９の仕様にも左右されるが、ここでは６４サンプルとした。その結果、垂直周波数を５９．９４Ｈｚとすると、システムクロック発生回路１４の出力クロック周波数ｆｓ１は、ｆｓ１＝（８５４＋６４）×５２５×５９．９４＝２８．８８８ＭＨｚが選定されることになる。
【００５３】
一方、液晶用システムクロック発生回路１５の出力クロック周波数ｆｓ２は、図２（Ｃ）に示すように、３０．９０２ＭＨｚを選定した。すなわち、ｆｓ１と同様に、ｆｓ２＝（８５４＋１２８）×５２５×５９．９４＝３０．９０２ＭＨｚで求めることができるが、有効映像期間以外のサンプル数の設定を、ここでは１２８サンプルとした。図４においてＬＣＫ１欄の×印で示すように、クロック周波数ｆｓ１の高調波は、放送チャンネルの４、９、１６、２１、２６、３０、３５、４０、４５、５０、５５、５９チャンネルの周波数帯域と重複している。
【００５４】
一方、３０．９０２ＭＨｚとしたクロック周波数ｆｓ２の高調波は、図４においてＬＣＫ２欄の×印で示すように、放送チャンネルの１、６、１２、１７、２２、２７、３２、３７、４２、４７、５３、５８チャンネルの周波数帯域と重複している。
【００５５】
図４において、ＬＣＫ１欄の×印とＬＣＫ２欄の×印を比較すると、重複しているチャンネルが存在しないことがわかる。ここでは、２８．８８８ＭＨｚと３０．９０２ＭＨｚの２つの周波数を選択したが、有効映像期間以外のサンプル数の設定や液晶ディスプレイの表示サイズにより他の組み合わせも多数考えられる。すなわち、上述したように、互いの高調波が重複するチャンネルが存在しない組み合わせであれば他の組み合わせを採用することができる。
【００５６】
以上説明したように、液晶用システムクロックに付随して発生する数次の高調波を予め試算により求め、これらの高調波がテレビジョン放送波の各チャンネル６ＭＨｚの周波数帯域で重複しない複数のシステムクロックを選定し、選局された放送チャンネルに合わせて選択されるように構成したので、スケーリング回路１１、倍速変換回路１２、およびＤＡ変換回路１８と液晶駆動回路１９を含むディスプレイ装置１７の動作クロックである液晶用システムクロックの高調波成分が選局復調回路２に飛び込むことで生ずるビート妨害を抑止することができる。
【００５７】
次に、ＩＣカードの再生信号をディスプレイ装置１７に表示するための動作を説明する。
【００５８】
タッチキーあるいはリモコンを通してカード再生指示（例えば、あるひとつの静止画を再生するという指示）を与えられたＣＰＵ２１は、カードスロット２４にＩＣカード２３が挿入されていることを認識すると、与えられた指示に応じて映像データ再生回路２６に再生指令を出す。
【００５９】
指令を受けた映像データ再生回路２６は、カードスロット２４を介して、ＩＣカード２３から指定された位置のデータを読み出し、ＪＰＥＧ方式等のデータ圧縮手段を用いた所定の記録フォーマットから映像データを抽出復号し、Ｙ、Ｃｂ、Ｃｒコンポーネント信号として出力する。
【００６０】
ところで、映像データ再生回路２６の動作周波数は、その処理速度や構成するＬＳＩの電気的特性などから制約はあるものの特別に規定されてはいない。テレビジョン映像信号やＤＶＤ映像信号などの映像信号処理系では、一般にＩＴＵ−Ｒ勧告ＢＴ６０１に準拠したＹ、Ｃｂ、Ｃｒコンポーネント信号が多く用いられ、そのためシステムクロックを１３．５ＭＨｚのＭ／Ｎ倍の周波数にしているものも少なくないので、ここではカード再生専用のシステムクロック発生回路２５の出力クロック周波数は１３５ＭＨｚとする。
【００６１】
よって、映像データ再生回路２６の動作周波数、ならびに画像メモリー回路２７の書き込み周波数もそれにならい１３５ＭＨｚとする。このとき、カード用システムクロック周波数１３５ＭＨｚのビート妨害を調べてみると、図４においてＣＣＫ欄の×印で示すように、カード用システムクロックの高調波は、放送チャンネルの２４、４７チャンネルの周波数帯域と重複していることがわかる。
【００６２】
ここで、テレビジョン放送の映像信号を参照すると、図５（Ａ）および図６（Ａ）に示すように、実際に映像信号が存在する有効映像期間と、映像信号が存在しないブランキング期間に分けることができる。したがって、有効映像期間以外の期間のみ映像データ再生回路２６が動作するような制御を行うことにより、液晶ディスプレイ２０に表示されるテレビジョン放送にビート妨害を与えずに、ＩＣカード２３の再生を行うことが可能になる。
【００６３】
以下、有効映像期間以外の期間の設定と、そのときの映像データ再生回路２６の動作を説明する。
【００６４】
まず、水平走査期間では、ＬＰＦ／同期分離回路４は、図５（Ｂ）１段目の水平ブランキング期間において、図５（Ｂ）２段目の水平同期信号を分離抽出する。水平同期信号に基づいて有効映像期間を求めたのが図５（Ｂ）３段目の信号であり、３２＋１２８＋１１６＝２７６サンプルとする。この期間は、図５（Ａ）のＥＩＡのスタジオ規格ＲＳ−１７０Ａにおける水平ブランキング期間よりも短いが、水平ブランキング期間内にあれば問題ない。
【００６５】
さらに、図５（Ｂ）２段目と３段目の信号に基づいて、選局復調回路２、ＡＤ変換回路７、およびＬＰＦ／同期分離回路４における処理遅延時間αと、選局復調回路２の受信処理、ならびにバラツキ分βを考慮して求めた図５（Ｂ）４段目に示す期間は、選局復調回路２の有効映像信号に対してビート妨害を与えない期間であり、この期間を以下水平無映像期間とする。
【００６６】
続いて、垂直走査期間では、図６（Ａ）（Ｂ）２段目の垂直同期信号を分離抽出する。垂直同期信号の前端から３Ｈ、後端から１４Ｈまでの期間は、図６（Ａ）（Ｂ）の１段目のＥＩＡのスタジオ規格ＲＳ−１７０Ａにより垂直ブランキング期間となっているので、図６（Ａ）（Ｂ）の３段目に示す期間は、選局復調回路２の有効映像信号に対してビート妨害を与えない期間であり、この期間を垂直無映像期間とする。
【００６７】
このように、タイミング生成回路２２は、ＬＰＦ／同期分離回路４からの水平同期信号と垂直同期信号に基づいて、水平無映像期間と垂直無映像期間を設定し、設定した水平無映像期間と垂直無映像期間をＣＰＵ２１に出力する。
【００６８】
ＣＰＵ２１は、当該入力を受けてカード用システムクロック発生回路２５の制御を行う。すなわち、ＣＰＵ２１は、テレビジョン放送を液晶ディスプレイ２０上に表示しているときに、カード再生指示を外部から与えられた場合には、液晶ディスプレイ２０上のテレビジョン放送に対してビート妨害を与えないように、有効映像期間における映像データ再生回路２６の動作を停止するために、水平無映像期間と垂直無映像期間のみ、カード用システムクロック発生回路２５のクロック出力を許可し、カード用システムクロック発生回路２５は当該指令に従う。
【００６９】
映像データ再生回路２６は、クロック入力中にはカードスロット２４を介して、ＩＣカード２３から指定された位置のデータを読み出し、ＪＰＥＧ方式等のデータ圧縮手段を用いた所定の記録フォーマットから映像データを抽出復号し、Ｙ、Ｃｂ、Ｃｒコンポーネント信号として出力し、画像メモリー回路２７に書き込む。
【００７０】
クロック停止中は、停止直前の動作を記憶し、再びクロック入力が開始されると、停止直前の動作を引き続き実行する。そして、このような処理を断続的に繰り返して行い、画像メモリー回路２７に蓄積する。
【００７１】
最初に与えられたカード再生指示（例えば、あるひとつの静止画を再生するという指示）分のデータ再生が終了し、復号データが画像メモリー回路２７に蓄積されると、ＣＰＵ２１はカード用システムクロック発生回路２５および映像データ再生回路２６の動作を停止する。
【００７２】
画像メモリー回路２７から映像データ読み出すクロックは、液晶用システムクロックであり、前述したように液晶用システムクロックでビート妨害は発生しない。画像メモリー回路２７からは、テレビジョン放送に同期するタイミングで読み出しが行われ、ＲＧＢ変換回路２８でＲＧＢ信号に変換されたあと、スケーリング回路１１で重畳される。重畳方法は、例えばピクチャーインピクチャーであってもよいし、アルファブレンディングのような方法であってもよい。
【００７３】
以上のように、本実施形態に係る映像信号処理装置によれば、テレビジョン放送波の特定期間に、断続的にＩＣカード再生を行うことができるため、ＩＣカード再生に伴うカード用システムクロックの高調波成分が選局復調回路２に飛び込むことで生ずるビート妨害を確実に抑止することができる。
【００７４】
さらに、上記構成において、タッチキーあるいはリモコンを通しての別のカード再生指示（例えば、ＩＣカードに記録されている映像情報に関する付加情報の再生指示、あるいは記録日時、記録チャンネルの表示指示）が与えられた場合には、ＣＰＵ２１は、カードスロット２４にＩＣカード２３が挿入されていることを認識すると、与えられた指示に応じて映像データ再生回路２６に再生指令を出す。指令を受けた映像データ再生回路２６は、カードスロット２４を介してＩＣカード２３から指定された位置のデータを読み出し、所定の記録フォーマットから映像情報に関する付加情報、例えば記録日時、記録チャンネルに係わるデータを抽出し、ＣＰＵ２１に出力する。
【００７５】
ＣＰＵ２１は、抽出したデータから映像情報に関する付加情報、例えば記録日時、記録チャンネルを識別し、文字データを作成する。ＯＳＤ回路１３は、文字データから文字を映像としてＲＧＢ信号に変換して出力するための回路であり、ＣＰＵ２１からの文字データに応じてテレビジョン放送に同期するタイミングで出力を行う。
【００７６】
スケーリング回路１１では、ＩＣカード２３に記録された映像情報に関する付加情報、例えば記録日時、記録チャンネルなどを文字としてテレビジョン放送の映像に重畳するので、テレビジョン放送を視聴しながら、ビート妨害なくＩＣカード２３の記録内容を把握するができる。
【００７７】
さらにまた、上記構成において、カードスロット２４にＩＣカード２３が装着されたことを検出する検出回路を設け、その検出結果をＣＰＵ２１に通知する構成とすることができる。これにより、上述した説明では、タッチキーあるいはリモコンを通してカード再生指示を与えられたＣＰＵ２１は、カードスロット２４にＩＣカード２３が挿入されていることを認識すると、与えられた指示に応じて映像データ再生回路２６に再生指令を出すとしていたが、カードスロット２４にＩＣカード２３を装着した直後に、ＩＣカード２３から再生処理を行うことができる。
【００７８】
これは、ＩＣカード２３の記録内容の視聴もしくは確認を目的にＩＣカード２３を挿入したユーザに対して一切負担をかけることなく、自動的にＩＣカード２３の再生を行うことができることを意味する。
【００７９】
【発明の効果】
本発明に係る映像信号処理装置は、上述した構成を備えているため、テレビジョン放送波の選局復調信号を液晶パネル等のディスプレイ装置に表示するとともに、記録媒体の再生処理を行う場合に、以下の効果を奏することができる。以下、記録媒体としてＩＣカードを用いた場合における効果を説明する。
【００８０】
本発明に係る映像信号処理装置は、ＩＣカードスロットにＩＣカードを挿入しＩＣカードの再生を行う際に、受信しているテレビジョン放送の映像信号からその有効映像期間以外の期間を設定し、その有効映像期間以外の期間のみ、ＩＣカードからの再生処理ならびに断続的に再生した情報を結合させるためのメモリー書き込み処理を行い、選局チャンネルの放送波帯域から高調波成分が外れるクロックでメモリーから読み出した映像をテレビジョン放送の映像に重畳する構成となっている。
したがって、ＩＣカード再生処理時に、そのクロックの高調波が選局復調回路に飛び込むことで生ずる映像に対するビート妨害を確実に抑止することができる。すなわち、テレビジョン放送を視聴しながらＩＣカードの記録内容の視聴もしくは確認を目的にＩＣカードを再生した際に、そのテレビジョン映像が途切れることなく、ＩＣカードの再生を行うことができ、加えてシステムクロックの高調波成分が選局復調回路に飛び込むことで生ずるビート妨害のない高品位な映像を表示できるという極めて優れた効果を奏する。
【００８１】
また、本発明に係る映像処理装置は、ＩＣカードに記録された映像情報に関する付加情報、例えば記録日時、記録チャンネルなどを文字としてテレビジョン放送の映像に重畳する構成となっている。
したがって、テレビジョン放送を視聴しながらＩＣカードの記録内容の確認を目的にＩＣカードを再生した際に、そのテレビジョン映像が途切れることなく、ＩＣカードの記録内容を把握するができ、さらに文字のみ重畳しているので、元々のテレビジョン放送の映像に対する影響を極力抑制できるという優れた効果を奏する。
【００８２】
また、本発明に係る映像処理装置は、テレビジョン放送の有効映像期間以外の期間のみ映像データ再生回路動作クロックを生成するクロック生成回路を備えている。
したがって、クロックの高調波成分が選局復調回路にビート妨害を起こすことなく、効率的にＩＣカードの再生を行うことができる。
【００８３】
また、本発明に係る映像処理装置は、ＩＣカードが装着されたことを検出する検出回路を設け、ＩＣカードを装着直後にＩＣカードから再生処理を行う構成となっている。
したがって、ＩＣカードの記録内容の視聴もしくは確認を目的にＩＣカードを装着したユーザに対して一切負担をかけることなく、自動的にＩＣカードの再生を行うことができるという優れた効果を奏する。
【図面の簡単な説明】
【図１】本発明の実施形態に係る映像信号処理装置の概略を示す回路構成図である。
【図２】本発明の実施形態における回路各部の信号波形図である。
【図３】本発明の実施形態におけるスケーリングならびに倍速変換回路各部の信号波形図である。
【図４】本発明の実施形態における選局チャンネルと高調波妨害の関係を示す説明図である。
【図５】本発明の実施形態におけるタイミング生成回路の水平期間の信号波形図である。
【図６】本発明の実施形態におけるタイミング生成回路の垂直期間の信号波形図である。
【図７】従来の液晶テレビジョン受像機の一例を示す回路構成図である。
【図８】従来の液晶テレビジョン受像機の他の例を示す回路構成図である。
【符号の説明】
１　受信アンテナ
２　選局復調回路
３　位相ロックドループ（ＰＬＬ）
４　ＬＰＦ／同期分離回路
５　位相比較／ＶＣＯ回路
６　カウンタ
７　ＡＤ変換回路
８　ＹＣ分離回路
９　色復調回路
１０　ＲＧＢ変換回路
１１　スケーリング回路
１２　倍速変換回路
１３　ＯＳＤ回路
１４　液晶用システムクロック発生回路
１５　液晶用システムクロック発生回路
１６　同期生成回路
１７　ディスプレイ装置
１８　ＤＡ変換回路
１９　液晶駆動回路
２０　液晶ディスプレイ
２１　ＣＰＵ
２２　タイミング生成回路
２３　ＩＣカード
２４　カードスロット
２５　カード用システムクロック発生回路
２６　映像データ再生回路
２７　画像メモリー回路
２８　ＲＧＢ変換回路
３１　液晶テレビジョン受像機
３２　液晶表示ユニット
３３　選局復調回路
３４　クロック発生回路
３５　液晶ディスプレイ
３６　ＤＡ変換回路
３７　液晶駆動回路
３８　受信アンテナ
３９　ＣＰＵ
４０　走査変換回路
４１　ＡＤ変換回路
４２　位相ロックドループ（ＰＬＬ）
４３　位相比較器
４４　低域濾波回路
４５　電圧制御発振器
４６　１／２Ｎ分周回路
４７　デコーダ
４８　分周回路
４９　ＩＣカード
５０　カードスロット
５１　映像データ再生回路
５２　ＲＧＢ変換回路
５３　ＤＡ変換回路
５４　カード用システムクロック発生回路
５５　スイッチ回路
６１　液晶テレビジョン受像機
６２　逓倍比メモリー
６３　ＣＰＵ
６４　選局マイコン
【図１】
2004040731.tif 000003
【図２】
2004040731.tif 000004
【図３】
2004040731.tif 000005
【図４】
2004040731.tif 000006
【図５】
2004040731.tif 000007
【図６】
2004040731.tif 000008
【図７】
2004040731.tif 000009
【図８】
2004040731.tif 000010